(57)【要約】【課題】清掃具の摺擦部に対して良好に密着して、当該摺擦部の清掃対象面に対する摺動性を向上し、更には、清掃具の摺擦部の摺擦により清掃対象面に良好に転写されて、清掃対象面に優れた防汚性と光沢とを与えることができる清掃用処理剤に関する技術を提供する。【解決手段】アクリル樹脂を水系溶媒に溶解させてなるアクリル樹脂エマルジョンに、フッ素樹脂粉体と、シリコーンオイルとを含有させてなる清掃用処理剤Ｐ，Ｌを、清掃具１の摺擦部３に含ませて、当該摺擦部３が摺擦される清掃対象面Ａに転写させる。【選択図】図２
2016089061.tif 000002
【特許請求の範囲】
【請求項１】
清掃具の摺擦部に付着される清掃用処理剤であって、
アクリル樹脂を水系溶媒に溶解させてなるアクリル樹脂エマルジョンに、フッ素樹脂粉体と、シリコーンオイルとを含有させてなる清掃用処理剤。
【請求項２】
前記アクリル樹脂エマルジョンに、更にケイ酸塩鉱物粉体を含有させてなる請求項１に記載の清掃用処理剤。
【請求項３】
前記アクリル樹脂エマルジョンの含有率を７０重量％以上９０重量％以下の範囲内とし、
前記フッ素樹脂粉体の含有率を５重量％以上１０重量％以下の範囲内とし、
前記シリコーンオイルの含有率を５重量％以上１０重量％以下の範囲内とし、
前記ケイ酸塩鉱物粉体の含有率を５重量％以上１０重量％以下の範囲内とした請求項２に記載の清掃用処理剤。
【請求項４】
前記アクリル樹脂エマルジョンの含有率を４０重量％以上６０重量％以下の範囲内とし、
前記フッ素樹脂粉体の含有率を２０重量％以上３０重量％以下の範囲内とし、
前記シリコーンオイルの含有率を２重量％以上４重量％以下の範囲内とし、
前記ケイ酸塩鉱物粉体の含有率を１重量％以上２重量％以下の範囲内とし、
水を８重量％以上１２重量％以下の範囲内の含有率で含有してなる請求項２に記載の清掃用処理剤。
【請求項５】
清掃対象面に摺擦される摺擦部を有する清掃具であって、
前記摺擦部に、請求項１〜４の何れか１項に記載の清掃用処理剤を付着させた清掃具。
【発明の詳細な説明】
【技術分野】
【０００１】
本発明は、清掃具の摺擦部に付着される清掃用処理剤、及び、その清掃用処理剤を付着させた摺擦部を備えた清掃具に関する。
【背景技術】
【０００２】
キッチンまわりやトイレなどの処理対象面に塗布されて、当該処理対象面に防汚性や光沢などを与えるための処理剤が知られている（例えば特許文献１を参照。）。
かかる処理剤は、有機溶媒にフッ素樹脂粉体やシリコーンオイルなどを分散させてなり、当該処理剤が塗布された処理対象面は、当該処理剤に分散されたフッ素樹脂粉体やシリコーンオイルなどにより、防汚性や光沢が与えられる。この種の処理剤は、刷毛などにより処理対象面に塗布される所謂塗料を想定したものであって、清掃時において、清掃具の摺擦部に付着されて、その摺擦部を清掃対象面に摺擦することで清掃対象面に転写される所謂清掃用処理剤を想定したものではない。
【先行技術文献】
【特許文献】
【０００３】
【特許文献１】特開２００５−３４４０５２号公報
【発明の概要】
【発明が解決しようとする課題】
【０００４】
上記のような清掃用処理剤では、清掃対象面に対して防汚性や光沢などを与えるという効果に加えて、清掃対象面に付着した汚れを除去する所謂除汚性や、清掃具の摺擦部が清掃対象面に対してすべり易くする所謂摺動性が重要となる。
この実情に鑑み、本発明の主たる課題は、清掃具の摺擦部に対して良好に密着して、当該摺擦部の清掃対象面に対する摺動性を向上し、更には、清掃具の摺擦部の摺擦により清掃対象面に良好に転写されて、清掃対象面に優れた防汚性と光沢とを与えることができる清掃用処理剤に関する技術を提供することができる。
【課題を解決するための手段】
【０００５】
本発明の第１特徴構成は、清掃具の摺擦部に付着される清掃用処理剤であって、
アクリル樹脂を水系溶媒に溶解させてなるアクリル樹脂エマルジョンに、フッ素樹脂粉体と、シリコーンオイルとを含有させてなる点にある。
【０００６】
本特徴構成によれば、アクリル樹脂エマルジョン（アクリル樹脂粉体を媒体としての水系分散媒に分散させたもの）をバインダとして利用することで、本清掃用処理剤が付着した清掃具の摺擦部やその摺擦部が摺擦されることで本清掃用処理剤が転写される清掃対象面に対して、フッ素樹脂粉体等を良好に担持して流出を防止することができる。また、アクリル樹脂エマルジョンは、親和性に優れたアクリル基を含んでいることから、広範囲の材料に適用可能となる。
【０００７】
このようなアクリル樹脂エマルジョンに対してフッ素樹脂粉体を混合するにあたり、シリコーンオイルを添加することで、撥水性を付与して水への溶出を抑制しながら、均一な塗膜を形成することができ、更には、清掃対象面に対する摺擦部の動摩擦係数を低下させて摺動性を向上することができる。
【０００８】
そして、かかる組成の清掃用処理剤が付着した清掃具の摺擦部を清掃対象面に摺擦させて清掃を行うと、フッ素樹脂粉体とシリコーンオイルとが清掃対象面に良好に転写されるので、当該清掃対象面に防汚性と光沢とを与えることができる。
【０００９】
したがって、本発明により、清掃具の摺擦部に対して良好に密着して、摺擦部の清掃対象面に対する摺動性を向上し、更には、清掃具の摺擦部の摺擦により清掃対象面に良好に転写されて、清掃対象面に優れた防汚性と光沢とを与えることができる清掃用処理剤を提供することができる。
【００１０】
本発明の第２特徴構成は、前記アクリル樹脂エマルジョンに、更にケイ酸塩鉱物粉体を含有させてなる点にある。
【００１１】
本特徴構成によれば、ケイ酸塩鉱物粉体（タルク又は滑石と呼ばれるケイ酸塩鉱物を微粉砕した無機粉体）を含有することで、当該ケイ酸塩鉱物粉体を含有する本清掃用処理剤が付着した清掃具の摺擦部が清掃対象面に摺擦される清掃時に、そのケイ酸塩鉱物粉体が研磨剤として機能するので、清掃対象面に対する除汚性を向上することができる。更に、ケイ酸塩鉱物粉体は、鉱物中最もモース硬度が低いので、清掃対象面を傷付け難い。また、ケイ酸塩鉱物粉体は、テラヘルツ波の遠赤外線を放出し、水に含まれるイオンがそのテラヘルツ波に共振することで、水のクラスターが微細化され、超親水性が発現される。このような共鳴や超親水性の発現により、除汚性を一層向上し、更には汚れや臭気を分解除去することができる。
【００１２】
本発明の第３特徴構成は、前記アクリル樹脂エマルジョンの含有率を７０重量％以上９０重量％以下の範囲内とし、
前記フッ素樹脂粉体の含有率を５重量％以上１０重量％以下の範囲内とし、
前記シリコーンオイルの含有率を５重量％以上１０重量％以下の範囲内とし、
前記ケイ酸塩鉱物粉体の含有率を５重量％以上１０重量％以下の範囲内とした点にある。
【００１３】
本特徴構成のような含有率でアクリル樹脂エマルジョンに対してフッ素樹脂粉体やケイ酸塩鉱物粉体を混合すれば、本清掃用処理剤を比較的高粘度で清掃具の摺擦部の表面への塗布性が良好なペースト状とすることができる。よって、摺擦部に塗りつける形態で付着された本清掃用処理剤が乾燥し固化することで、摺擦部を良好に保形することができる。更には、摺擦部の表面に塗りつける状態で付着された本清掃用処理剤を、摺擦部の摺擦により良好に清掃対象面に転写させることができ、その転写された本清掃用処理剤が清掃対象面で乾燥し固化することで、当該清掃対象面に比較的厚みのある本清掃用処理剤の皮膜を形成し、当該清掃対象面に良好な防汚性と光沢とを与えることができる。
更に、このような配合で本清掃用処理剤を構成する場合には、それに対して５重量％以上１０重量％以下の範囲内の含有率でシリコーンオイルを添加することで、水への溶出を抑制しながら、清掃具の摺擦部から清掃対象面への摺擦による転写を良好なものとし、更には、清掃対象面に対する摺擦部の摺動性を向上することができる。
【００１４】
尚、このようにペースト状の本清掃用処理剤においては、アクリル樹脂エマルジョンの含有率を７０重量％以上とすることで、清掃対象面においてフッ素樹脂粉体等を良好に担持させることができ、一方、アクリル樹脂エマルジョンの含有率を９０重量％以下とすることで、そのアクリル樹脂エマルジョンがフッ素樹脂粉体やケイ酸塩鉱物粉体やシリコーンオイルの表面露出の妨げになることを防止できる。
【００１５】
更に、フッ素樹脂粉体の含有率を５重量％以上とすることで、清掃対象面に転写されたフッ素樹脂粉体を十分に表面に露出させて、清掃対象面に十分な防汚性を与えることができる。また、ケイ酸塩鉱物粉体の含有率を５重量％以上とすることで、清掃具の摺擦部が清掃対象面に摺擦される清掃時にそのケイ酸塩鉱物粉体を研磨剤として機能させて、清掃対象面に対する除汚性を向上することができる。一方、これらフッ素樹脂粉体及びケイ酸塩鉱物粉体については、含有率を何れも１０重量％以下とすることで、清掃用処理剤の流動性低下に伴う摺擦部への密着性低下を抑制することができる。
【００１６】
本発明の第４特徴構成は、前記アクリル樹脂エマルジョンの含有率を４０重量％以上６０重量％以下の範囲内とし、
前記フッ素樹脂粉体の含有率を２０重量％以上３０重量％以下の範囲内とし、
前記シリコーンオイルの含有率を２重量％以上４重量％以下の範囲内とし、
前記ケイ酸塩鉱物粉体の含有率を１重量％以上２重量％以下の範囲内とし、
水を８重量％以上１２重量％以下の範囲内の含有率で含有してなる点にある。
【００１７】
本特徴構成のような含有率でアクリル樹脂エマルジョンに対してフッ素樹脂粉体やケイ酸塩鉱物粉体、更には水を混合すれば、本清掃用処理剤を比較的低粘度で清掃具の摺擦部への浸透性が良好なリキッド状とすることができる。よって、本清掃用処理剤の摺擦部への含浸が容易となり、摺擦部に含浸させる形態で付着された本清掃用処理剤が乾燥し固化することで、摺擦部を良好に保形することができる。更には、本清掃用処理剤が含浸された摺擦部を清掃対象面に摺擦することで、当該摺擦部へ含浸された本清掃用処理剤を清掃対象面に転写させて、当該清掃対象面に防汚性と光沢とを与えることができる。
更に、このような配合で本清掃用処理剤を構成する場合には、それに対して２重量％以上４重量％以下の範囲内の含有率でシリコーンオイルを添加することで、水への溶出を抑制しながら、清掃具の摺擦部から清掃対象面への摺擦による転写を良好なものとし、更には、清掃対象面に対する摺擦部の摺動性を向上することができる。
【００１８】
尚、このようにリキッド状の本清掃用処理剤においては、アクリル樹脂エマルジョンの含有率を４０重量％以上とすることで、清掃具の摺擦部においてフッ素樹脂粉体等を適度に担持させることができ、一方、アクリル樹脂エマルジョンの含有率を６０重量％以下とすることで、摺擦部からフッ素樹脂粉体等を適度に脱離させて、摺擦部が摺擦される清掃対象面への転写を良好なものとなる。
【００１９】
更に、フッ素樹脂粉体の含有率を２０重量％以上とすることで、清掃具の摺擦部から清掃対象面へ十分な量のフッ素樹脂粉体を転写させることができる。また、ケイ酸塩鉱物粉体の含有率を１重量％以上とすることで、摺擦部が清掃対象面に摺擦される清掃時にそのケイ酸塩鉱物粉体を研磨剤として機能させて、清掃対象面に対する除汚性を向上することができる。一方、このフッ素樹脂粉体の含有率を３０重量％以下とすると共に、ケイ酸塩鉱物粉体の含有率を２重量％以下とすることで、清掃用処理剤の流動性低下に伴う摺擦部への密着性低下を抑制することができる。
【００２０】
本発明の第５特徴構成は、清掃対象面に摺擦される摺擦部を有する清掃具であって、
前記摺擦部に、上記第１〜第４特徴構成の何れかを有する清掃用処理剤を付着させた点にある。
【００２１】
本特徴構成によれば、上述したように、清掃具の摺擦部に付着した清掃用処理剤が当該摺擦部に良好に密着し、その摺擦部を清掃対象面に摺擦する清掃時において、摺擦部の清掃対象面に対する摺動性に優れ、更には、清掃具の摺擦部に付着した清掃用処理剤を清掃対象面に良好に転写させて、当該清掃対象面に優れた防汚性と光沢とを与えることができる。
また、清掃用処理剤を摺擦部に付着させて乾燥固化させることで、良好に保形された摺擦部を得ることができる。
【図面の簡単な説明】
【００２２】
【図１】清掃具の全体構成を示す斜視図
【図２】清掃具の摺擦部の断面図
【図３】別実施形態の清掃用具の構成を示す斜視図
【発明を実施するための形態】
【００２３】
本発明の実施形態について図面に基づいて説明する。
尚、先ず清掃具１の構成について説明し、次にその清掃具１の摺擦部３に付着させた清掃用処理剤について説明する。
【００２４】
〔清掃具〕
図１及び図２に示すように、本実施形態の清掃具１は、トイレなどを清掃するための柄付きタワシとして構成されている。
詳しくは、清掃具１は、基端側に把持部２ａが形成された棒状の柄２と、その柄２の先端側に形成された取付部２ｂに取り付けられた樹脂製又は天然素材製のスポンジや不織布やブラシ等からなる摺擦部３とを備えて構成されている。
そして、清掃時において、使用者が柄２の把持部２ａを把持し、清掃具１の摺擦部３をトイレの表面などの清掃対象面Ａに摺擦させることで、当該清掃対象面Ａの汚れが除去される。
【００２５】
柄２の取付部２ｂは、清掃対象面Ａに対して略平行に延びる薄板状に形成されている。そして、摺擦部３は、その取付部２ｂの下面に上面を当接させ、厚み方向において若干圧縮した状態で、当該摺擦部３を貫通して取付部２ｂに固定された固定ピン部４により固定されている。
【００２６】
摺擦部３は、厚板状の材料を先端側（図２において左側）で半分に折り返した状態で取付部２ｂに固定されている。更に、その摺擦部３の先端部３ａが、取付部２ｂの先端よりも更に先端側に突出しており、これにより、摺擦部３の先端部３ａが、上部を上向きに膨出させた形状となる。よって、清掃時において、この摺擦部３を清掃対象面Ａに摺擦させるにあたり、その摺擦部３の先端部３ａが取付部２ｂの前方側（先端側）に膨出した状態で配置されるので、取付部２ｂが前方に立設する壁に衝突することが防止されると共に、その前方の壁の清掃も行うことができる。
【００２７】
更に、摺擦部３には、詳細については後述するが、アクリル樹脂エマルジョンに、フッ素樹脂粉体と、シリコーンオイルとを含有させてなる清掃用処理剤Ｐ，Ｌを付着させてあり、これにより、摺擦部３を清掃対象面Ａに摺擦する清掃時において、摺擦部３の清掃対象面Ａに対する摺動性が向上すると共に、該清掃対象面Ａに優れた防汚性と光沢とが与えられ、更には、その摺擦部３の形状が良好なものに保たれている。
尚、この清掃用処理剤Ｐ，Ｌには、適宜、ケイ酸塩鉱物粉体や、水や、潤滑剤などが含有されており、それらの配合により、第１実施例で説明するペースト状の清掃用処理剤Ｐや、第２実施例で説明するリキッド状の清掃用処理剤Ｌがある。
以下、ペースト状の清掃用処理剤Ｐを第１実施例とし、リキッド状の清掃用処理剤Ｌを第２実施例として、夫々の実施例の清掃用処理剤Ｐ，Ｌの組成及び配合等の詳細について説明する。
【００２８】
〔第１実施例〕
第１実施例の清掃用処理剤Ｐは、アクリル樹脂エマルジョンの含有率を７０重量％以上９０重量％以下の範囲内（好ましくは７８重量％程度）とし、フッ素樹脂粉体の含有率を５重量％以上１０重量％以下の範囲内（好ましくは８重量％程度）とし、シリコーンオイルの含有率を５重量％以上１０重量％以下の範囲内（好ましくは６重量％程度）とし、ケイ酸塩鉱物粉体の含有率を５重量％以上１０重量％以下の範囲内（好ましくは６重量％程度）としている。
【００２９】
アクリル樹脂エマルジョンとしては、アクリル樹脂を水に分散させたエマルジョン（乳濁液）が使用されており、具体的には、下記の物性を有する日本合成化学工業社製のモビニールＤＭ７７２が使用されている。
【００３０】
主成分：アクリル
不揮発分（揮発分を除いた後に残る成分）：４６％
粘度                                  ：３，０００〜１０，０００ｍＰａ・ｓ
ｐＨ                                  ：８．０〜９．０
最低造膜温度（ＭＦＴ）                ：１３℃
ガラス転移温度（Ｔｇ）                ：６℃
【００３１】
フッ素樹脂粉体としては、一般的なＰＴＦＥ粉体が使用されており、具体的には、喜多村社製の粒子径Ｄ５０が０．３μｍ程度のＰＴＦＥ（ポリテトラフルオロエチレン）粉体ＫＴＬ−５００Ｆが使用されている。
【００３２】
シリコーンオイルとしては、比較的粘度が高いジメチルシリコーンオイルが使用されており、具体的には、下記の物性を有する信越化学工業社製のジメチルシリコーンオイルＫＦ−９６−５，０００ｃｓが使用されている。
【００３３】
動粘度（２５℃）            ：５，０００ｍｍ２／ｓ
比重（２５℃）              ：０．９７５
揮発分（１５０℃／２４時間）：０．５以下
屈折率（２５℃）            ：１．４０３
【００３４】
ケイ酸塩鉱物粉体としては、タルク又は滑石と呼ばれるケイ酸塩鉱物を微粉砕した無機粉体が使用されており、具体的には、日本タルク社製の粒子径Ｄ５０が５．０μｍの微粉タルクＤ−３が使用されている。
【００３５】
更に、清掃用処理剤Ｐには、清掃対象面Ａにおけるレベリング（平滑性）と密着性を向上するために、１重量％以上２重量％以下の範囲内（好ましくは２重量％程度）の含有率で潤滑剤が添加されており、この潤滑剤としては、シリコーンオリゴマーが使用されており、具体的には、共栄社化学社製の非水系基材湿潤剤ポリフロ−ＫＬ−１００が使用されている。
【００３６】
以上のような組成及び配合で構成された清掃用処理剤Ｐは、比較的高粘度のペースト状となり、摺擦部３の表面への塗布性が良好なものとなる。更に、清掃具１の摺擦部３の下面へ塗布する状態で付着させたペースト状の清掃用処理剤Ｐは、その摺擦部３を清掃対象面Ａに摺擦することで、良好に清掃対象面Ａに転写され、その転写された清掃用処理剤Ｐが清掃対象面Ａで乾燥し固化することで、当該清掃対象面Ａに比較的厚みのある清掃用処理剤Ｐの皮膜が形成される。そして、その清掃用処理剤Ｐの皮膜により、清掃対象面Ａに良好な防汚性と光沢とが与えられることになる。
【００３７】
更に、この清掃用処理剤Ｐには、シリコーンオイルが上述した所定範囲内の含有率で添加されているので、清掃時において水への溶出が適度に抑制され、清掃具１の摺擦部３から清掃対象面Ａへの摺擦による転写が良好なものとなり、更には、清掃対象面Ａに対する摺擦部３の摺動性が向上される。
【００３８】
この清掃用処理剤Ｐでは、アクリル樹脂エマルジョンの含有率が上述した所定範囲内に設定されているので、清掃対象面Ａにおけるフッ素樹脂粉体等の担持力を良好なものに保ちながら、アクリル樹脂エマルジョンがフッ素樹脂粉体やケイ酸塩鉱物粉体やシリコーンオイルの表面露出の妨げになることが防止されている。
【００３９】
この清掃用処理剤Ｐでは、フッ素樹脂粉体の含有率が上述した所定範囲内に設定されているので、清掃用処理剤Ｐの流動性低下に伴う摺擦部３への密着性低下を抑制しながら、清掃対象面Ａに転写されたフッ素樹脂粉体が十分に表面に露出し、清掃対象面Ａに十分な防汚性が与えられる。
また、この清掃用処理剤Ｐでは、ケイ酸塩鉱物粉体の含有率が上述した所定割合に設定されているので、フッ素樹脂粉体と同様に、清掃用処理剤Ｐの流動性低下に伴う摺擦部３への密着性低下を抑制しながら、摺擦部３が清掃対象面Ａに摺擦される清掃時にそのケイ酸塩鉱物粉体が研磨剤として機能して、清掃対象面Ａに対する除汚性が向上される。
【００４０】
尚、本実施例では、摺擦部３に塗りつけたペースト状の清掃用処理剤Ｐが乾燥固化する前に、その摺擦部Ｐを清掃対象面Ａに摺擦させることで、当該清掃用処理剤Ｐを清掃対象面Ａに転写させたが、例えば、摺擦部３に塗りつけた清掃用処理剤Ｐを乾燥固化させて、摺擦部３を保形するように構成しても構わない。
【００４１】
〔第２実施例〕
第２実施例の清掃用処理剤Ｌは、アクリル樹脂エマルジョンの含有率を４０重量％以上６０重量％以下の範囲内とし、フッ素樹脂粉体の含有率を２０重量％以上３０重量％以下の範囲内とし、シリコーンオイルの含有率を２重量％以上４重量％以下の範囲内とし、ケイ酸塩鉱物粉体の含有率を１重量％以上２重量％以下の範囲内とすると共に、水を８重量％以上１２重量％以下の範囲内の含有率で含有してなる。
尚、具体的なアクリル樹脂エマルジョン、フッ素樹脂粉体、シリコーンオイル、ケイ酸塩鉱物粉体の種類や物性については、上述した第１実施例と同様であるために説明は割愛する。
【００４２】
更に、清掃用処理剤Ｌには、清掃対象面Ａにおけるレベリング（平滑性）と密着性を向上するために、約１重量％の含有率で潤滑剤が添加されており、この潤滑剤としては、上記第１実施例と同じものが使用されている。
【００４３】
以上のような組成及び配合で構成された清掃用処理剤Ｌは、比較的低粘度のリキッド状となり、摺擦部３への浸透性が良好なものとなる。
更に、清掃具１の摺擦部３の一部又は全部に含浸させる形態で付着させたリキッド状の清掃用処理剤Ｌは、その摺擦部３において乾燥し固化することで、当該摺擦部３を良好に保形することができる。例えば、摺擦部３の先端部３ａに当該清掃用処理剤Ｌを含浸させて固化させることで、この先端部３ａが、清掃対象面Ａの前方に立設する壁に衝突したとしても、上部を上向きに膨出させた良好な形状で維持されることになり、当該摺擦部３のへたり等が抑制される。更に、その摺擦部３を湿潤状態で清掃対象面Ａに摺擦することで、摺擦部３に含浸された清掃用処理剤Ｌが良好に清掃対象面Ａに転写され、その転写された清掃用処理剤Ｌが清掃対象面Ａで乾燥し固化することで、当該清掃対象面Ａに清掃用処理剤Ｌの皮膜が形成される。そして、その清掃用処理剤Ｌの皮膜により、清掃対象面Ａに防汚性と光沢とが与えられることになる。
尚、本実施例では、リキッド状の清掃用処理剤Ｌを摺擦部３の一部である先端部３ａに含浸させたが、当然、摺擦部３の別の部位又は全体に清掃用処理剤Ｌを含浸させても構わない。
【００４４】
更に、この清掃用処理剤Ｌには、シリコーンオイルが上述した所定範囲内の含有率で添加されているので、清掃時において水への溶出が適度に抑制され、清掃具１の摺擦部３から清掃対象面Ａへの摺擦による転写が良好なものとなり、更には、清掃対象面Ａに対する摺擦部３の摺動性が向上される。
【００４５】
この清掃用処理剤Ｌでは、アクリル樹脂エマルジョンの含有率が上述した所定範囲内に設定されているので、摺擦部３においてフッ素樹脂粉体等を適度に担持させながら、摺擦部３からフッ素樹脂粉体等を適度に脱離させて、摺擦部３が摺擦される清掃対象面Ａへの転写が良好なものとされている。
【００４６】
この清掃用処理剤Ｌでは、フッ素樹脂粉体の含有率が上述した所定範囲内に設定されているので、清掃用処理剤Ｐの流動性低下に伴う摺擦部３への密着性低下を抑制しながら、摺擦部３から清掃対象面Ａへ十分な量のフッ素樹脂粉体を転写させることができる。
また、この清掃用処理剤Ｌでは、ケイ酸塩鉱物粉体の含有率が上述した所定割合に設定されているので、フッ素樹脂粉体と同様に、清掃用処理剤Ｌの流動性低下に伴う摺擦部３への密着性低下を抑制しながら、摺擦部３が清掃対象面Ａに摺擦される清掃時にそのケイ酸塩鉱物粉体が研磨剤として機能して、清掃対象面Ａに対する除汚性が向上される。
【００４７】
尚、本実施例では、摺擦部３に含浸させたリキッド状の清掃用処理剤Ｌをその摺擦部において乾燥固化させることで、摺擦部３の保形を行うようにしたが、例えば、摺擦部３に含浸させたリキッド状の清掃用処理剤Ｌが乾燥固化する前に、その摺擦部Ｐを清掃対象面Ａに摺擦させることで、当該清掃用処理剤Ｐを清掃対象面Ａに転写させるように構成しても構わない。
【００４８】
〔別実施形態〕
（１）上記実施形態では、本発明に係る清掃具１を、トイレなどを清掃するための柄付きタワシに適用した例を説明したが、別の構成及び用途の清掃具として適用しても構わない。
例えば、図３に示す清掃具１０のように、スポンジやゴムなどからなる直方体の支持体１２の一面に、当該支持体よりも柔軟なスポンジや不織布等からなる摺擦部１３を貼り付け、その摺擦部１３に清掃用処理剤Ｐ，Ｌを付着させたスポンジや不織布等からなる摺擦部１３を貼り付けて構成することができる。
このような清掃具１０では、使用者が支持体１２を把持し、その一面側の摺擦部１３を、キッチンまわりなどの清掃対象面に摺擦させることで、当該清掃対象面の汚れが除去されると共に、その清掃対象面に、清掃用処理剤Ｐ，Ｌを転写させて、清掃対象面に防汚性や光沢を与えることができる。
【００４９】
（２）上記実施形態では、清掃用処理剤Ｐ，Ｌにおける各種成分の含有割合を所定の範囲内に設定した例を説明したが、清掃用処理剤Ｐ，Ｌの粘度、当該清掃用処理剤Ｐ，Ｌが付着した摺擦部３，１３の清掃対象面Ａへの摺動性、清掃用処理剤Ｐ，Ｌの清掃対象面Ａへの転写性、清掃対象面Ａの防汚性や光沢等を調整するために、各種成分の含有割合を適宜改変しても構わない。また、清掃用処理剤Ｐ，Ｌにおいて、少なくともアクリル樹脂を水系溶媒に溶解させてなるアクリル樹脂エマルジョンに、フッ素樹脂粉体とシリコーンオイルとを含有させてなるものとすればよく、例えば、ケイ酸塩鉱物粉体や潤滑剤等を含有しないものとしても構わない。
【符号の説明】
【００５０】
１，１０  清掃具
３        摺擦部
１３      摺擦部
Ａ        清掃対象面
Ｐ，Ｌ    清掃用処理剤
【図１】
2016089061.tif 000003
【図２】
2016089061.tif 000004
【図３】
2016089061.tif 000005